(57)【特許請求の範囲】
【請求項１】
チェーンが掛架されて噛み合う複数の歯を備えたスプロケットにおいて、
前記歯のピッチ円上の基準ピッチが、チェーンの基準ピッチより小さく設定され、
前記複数の歯が、歯先の高さの異なる歯を含むとともに標準高さの標準歯あるいは標準歯より歯先の低いカット歯で構成され、
前記カット歯が、歯先をピッチ円より低い位置に有する低カット歯と、該低カット歯よりも歯先をさらに低い位置に有する小カット歯とを有していることを特徴とするスプロケット。
【請求項２】
チェーンが掛架されて噛み合う複数の歯を備えたスプロケットにおいて、
前記歯のピッチ円上の基準ピッチが、チェーンの基準ピッチより小さく設定され、
前記複数の歯が、歯先の高さの異なる歯を含むとともに標準高さの標準歯あるいは標準歯より歯先の低いカット歯で構成され、
前記カット歯が、歯先をピッチ円より高い位置に有する高カット歯と、歯先をピッチ円より低い位置に有する低カット歯とを有し、
前記カット歯が、歯先をピッチ円より低い位置に有する低カット歯と、該低カット歯よりも歯先をさらに低い位置に有する小カット歯とを有していることを特徴とする請求項１に記載のスプロケット。
【請求項３】
前記高さの異なる歯が、不規則に配置されていることを特徴とする請求項１または請求項２に記載のスプロケット。
【請求項４】
チェーンと該チェーンが掛架されて噛み合う複数の歯を備えた複数のスプロケットとからなる伝動装置において、
前記複数のスプロケットの少なくとも１つが、請求項１乃至請求項３のいずれかに記載のスプロケットからなることを特徴とする伝動装置。
【請求項５】
前記スプロケットの標準歯あるいは高カット歯が、前記チェーンが掛架される範囲に少なくとも１つ存在するように配置されていることを特徴とする請求項４に記載の伝動装置。
【発明の詳細な説明】
【技術分野】
【０００１】
本発明は、チェーンが掛架されて噛み合う複数の歯を備えたスプロケットおよび該スプロケットを用いた伝動装置に関し、特に、ローラチェーン、ブシュチェーン、ローラやブシュを有さないピンのみのブシュレスチェーン等のチェーンを巻き掛けて動力伝達を行うとき、チェーンがスプロケットに噛み合う際に発生する騒音を抑制したスプロケットおよび該スプロケットを用いた伝動装置に関するものである。
【背景技術】
【０００２】
従来、一般的なＤＯＨＣ型、すなわち、シリンダーヘッドに吸排気弁を駆動する二本のカムシャフトを備えたエンジンにおける夕イミングシステムとして用いられる伝動装置１００は、図１に示すように、駆動スプロケット１１０、従動スプロケット１２０、従動スプロケット１３０に掛架されたチェーンＣＨにより動力を伝達するように構成されている。
【０００３】
チェーンＣＨの緩み側の従動スプロケット１２０と駆動スプロケット１１０との間には、テンショナＴと協動して循環走行するチェーンＣＨに摺接して適切な張力を付与するとともに走行中のチェーンＣＨの振動、横振れを防止するための滑り機能を備えた緩み側のチェーンガイド１０１が配置されている。
【０００４】
一方、チェーンＣＨの張り側の従動スプロケット１３０と駆動スプロケット１１０との間には、走行軌道を所定のスパン長さ（従動スプロケット１３０の噛外れ点〜駆動スプロケット１１０の噛始め点に至る軌道の長さ）にガイド規制する張り側のチェーンガイド１０２からなるガイド機構が用いられている。
【０００５】
緩み側のチェーンガイド１０１は、エンジンの躯体の内壁に取付ボルト、取付ピン等の軸支手段Ｂで揺動可能に取り付けられており、テンショナＴにより緩み側のチェーンガイド１０１のシュー部分をチェーンＣＨに向けて付勢されている。
一方、張り側のチェーンガイド１０２は、エンジンの躯体の内壁に取付ボルト、取付ピン等の固定手段Ｂ１、Ｂ２により固設されており、循環走行するチェーンＣＨの走行軌道をガイド規制している。
【０００６】
このような伝動装置１００のそれぞれのスプロケットは、図８に示すように、チェーンＣＨが掛架されて噛み合う複数の歯５１１を備えており、駆動スプロケット５１０、従動スプロケット５２０、従動スプロケット５３０（スプロケットの径、歯数は従動スプロケットが駆動スプロケットの倍となるが、説明のため同じ図で代用する。）が常に所定の位相関係となるようにチェーンＣＨによって回転が伝達されることで、夕イミングシステムとして機能する。
【０００７】
それぞれのスプロケット５１０、５２０、５３０の歯５１１の形状は、ローラチェーン用あるいはサイレントチェーン用等、掛架されるチェーンＣＨの種類に応じた標準的な形状のもの（以下「標準歯」という。）が用いられている。
【０００８】
スプロケットとチェーンは、一般的に、スプロケットの歯のピッチ円上の基準ピッチがチェーンの基準ピッチより小さくなるような公差を持つようにそれぞれ製造されており、チェーンＣＨがスプロケット５１０、５２０、５３０と噛み合い始める際には、歯５１１の側面とチェーンＣＨのローラあるいはプレート歯が最初に接触して衝突音を発生することとなる。
【０００９】
したがって、図８に示すような、標準歯である複数の歯５１１を均等なピッチで配置したスプロケット５１０、５２０、５３０を使用した場合、衝突音を発するタイミングが全ての歯５１１で同じタイミングとなるため、回転数に応じて一定周期の衝突音が発生し、伝動装置１００全体の騒音が大きくなるという問題があった。
【００１０】
上記問題を解決するために、スプロケットの歯のピッチを変化させてチェーンＣＨのローラあるいはプレート歯がスプロケットの歯と接触するタイミングを変化させて一定周期の衝突音の発生を抑制し、伝動装置１００全体の騒音を減少させるものが知られている（例えば、特許文献１参照）。
【先行技術文献】
【特許文献】
【００１１】
【特許文献１】特開２００３−１８４９９６号公報（第５乃至６頁、第２、３図）
【発明の開示】
【発明が解決しようとする課題】
【００１２】
しかしながら、歯のピッチを変化させたスプロケットは、スプロケット製造時から設計されている必要があるため、適用する伝動装置の構造や回転数等の諸元に応じて異なるスプロケットを設計、製造する必要があり、製造コストが高騰するという問題があった。
【００１３】
また、歯のピッチを変化させたスプロケットを使用した場合、チェーンが掛架される範囲でも歯のピッチが異なるため、チェーンのローラあるいはプレート歯とスプロケットの歯底との関係が不安定となり、チェーンに振動や張力の変動を与えて逆に騒音の発生要因となる虞があるという問題があった。
【００１４】
さらに、周期的な張力変動を吸収する等の他目的でスプロケットの歯のピッチを周期的に変化させた場合には、チェーンＣＨのローラあるいはプレート歯がスプロケットの歯と接触するタイミングを一定周期の衝突音の発生を抑制するために最適に変化させることができないという問題があった。
【００１５】
本発明は、前述したような従来技術の問題を解決するものであって、すなわち、本発明の目的は、歯のピッチに影響を与えることなく一定周期の衝突音の発生を抑制し、騒音を減少させるとともに、製造が容易で安定してチェーンが掛架されるスプロケットおよび伝動装置を提供することである。
【課題を解決するための手段】
【００１６】
本請求項１に係る発明は、チェーンが掛架されて噛み合う複数の歯を備えたスプロケットにおいて、前記歯のピッチ円上の基準ピッチが、チェーンの基準ピッチより小さく設定され、前記複数の歯が、歯先の高さの異なる歯を含むとともに標準高さの標準歯あるいは標準歯より歯先の低いカット歯で構成され、前記カット歯が、歯先をピッチ円より低い位置に有する低カット歯と、該低カット歯よりも歯先をさらに低い位置に有する小カット歯とを有していることにより、前記課題を解決するものである。
【００１７】
本請求項２に係る発明は、チェーンが掛架されて噛み合う複数の歯を備えたスプロケットにおいて、前記歯のピッチ円上の基準ピッチが、チェーンの基準ピッチより小さく設定され、前記複数の歯が、歯先の高さの異なる歯を含むとともに標準高さの標準歯あるいは標準歯より歯先の低いカット歯で構成され、前記カット歯が、歯先をピッチ円より高い位置に有する高カット歯と、歯先をピッチ円より低い位置に有する低カット歯とを有し、前記カット歯が、歯先をピッチ円より低い位置に有する低カット歯と、該低カット歯よりも歯先をさらに低い位置に有する小カット歯とを有していることにより、前記課題をさらに解決するものである。
【００２０】
本請求項３に係る発明は、請求項１または請求項２に記載されたスプロケットの構成に加えて、前記高さの異なる歯が、不規則に配置されていることにより、前記課題をさらに解決するものである。
【００２１】
本請求項４に係る発明は、チェーンと該チェーンが掛架されて噛み合う複数の歯を備えた複数のスプロケットとからなる伝動装置において、前記複数のスプロケットの少なくとも１つが、請求項１乃至請求項３のいずれかに記載のスプロケットからなることにより、前記課題を解決するものである。
【００２２】
本請求項５に係る発明は、請求項４に記載された伝動装置の構成に加えて、前記スプロケットの標準歯あるいは高カット歯が、前記チェーンが掛架される範囲に少なくとも１つ存在するように配置されていることにより、前記課題をさらに解決するものである。
【発明の効果】
【００２３】
本請求項１に係る発明は、チェーンが掛架されて噛み合う複数の歯を備えたスプロケットにおいて、歯のピッチ円上の基準ピッチがチェーンの基準ピッチより小さく設定され、複数の歯が、歯先の高さの異なる歯を含んでいることにより、チェーンがスプロケットと噛み合い始める際にチェーンのローラあるいはプレート歯が最初に接触する歯の側面の位置を、高さの異なる歯で異ならせることができるため、接触するタイミングが分散され一定周期の衝突音の発生を抑制し、騒音を減少させることができる。
【００２４】
また、歯のピッチを別の目的で別個に最適に定めることができるため、チェーンのローラあるいはプレート歯とスプロケットの歯底との関係が安定し、チェーンに振動や張力の変動を与えることはない。
【００２５】
加えて、複数の歯が、標準高さの標準歯あるいは標準歯より歯先の低いカット歯で構成されていることにより、カット歯を標準歯の歯先を一定量カットして製造することができるため、標準スプロケットからの加工が容易であり、適用する伝動装置の構造や回転数等の諸元に応じて任意に加工すれば良く、異なるスプロケットを設計、製造する必要がなく、容易に製造することができる。
さらに、カット歯は標準歯の歯先を一定量カットして製造されているため、スプロケットを軽量化することができる。
【００２６】
そして、カット歯が、歯先をピッチ円より低い位置に有する低カット歯と、該低カット歯よりも歯先をさらに低い位置に有する小カット歯とを有することにより、チェーンがスプロケットと噛み合い始める際にチェーンのローラあるいはプレート歯が最初に接触する歯の側面の位置を標準歯、低カット歯、小カット歯でさらに多様に異ならせることができるため、一定周期の衝突音の発生をさらに抑制し、騒音を減少させることができるとともに、カット歯の歯先が低くスプロケットをより軽量化することができる。
また、チェーンのローラあるいはプレート歯が最初にカット歯の側面に接触した後、歯底に向かうまでの距離が短くなることにより、摩擦抵抗や摩擦に伴う騒音を軽減することができる。
【００２７】
本請求項２に係る発明のスプロケットは、チェーンが掛架されて噛み合う複数の歯を備えたスプロケットにおいて、歯のピッチ円上の基準ピッチがチェーンの基準ピッチより小さく設定され、複数の歯が、歯先の高さの異なる歯を含んでいることにより、チェーンがスプロケットと噛み合い始める際にチェーンのローラあるいはプレート歯が最初に接触する歯の側面の位置を、高さの異なる歯で異ならせることができるため、接触するタイミングが分散され一定周期の衝突音の発生を抑制し、騒音を減少させることができる。
また、歯のピッチを別の目的で別個に最適に定めることができるため、チェーンのローラあるいはプレート歯とスプロケットの歯底との関係が安定し、チェーンに振動や張力の変動を与えることはない。
加えて、複数の歯が、標準高さの標準歯あるいは標準歯より歯先の低いカット歯で構成されていることにより、カット歯を標準歯の歯先を一定量カットして製造することができるため、標準スプロケットからの加工が容易であり、適用する伝動装置の構造や回転数等の諸元に応じて任意に加工すれば良く、異なるスプロケットを設計、製造する必要がなく、容易に製造することができる。
さらに、カット歯は標準歯の歯先を一定量カットして製造されているため、スプロケットを軽量化することができる。
また、カット歯が、歯先をピッチ円より高い位置に有する高カット歯と、歯先をピッチ円より低い位置に有する低カット歯とを有することにより、チェーンがスプロケットと噛み合い始める際にチェーンのローラあるいはプレート歯が最初に接触する歯の側面の位置を標準歯、高カット歯、低カット歯でさらに多様に異ならせることができるため、一定周期の衝突音の発生をさらに抑制し、騒音を減少させることができる。
そして、カット歯が、歯先をピッチ円より低い位置に有する低カット歯と、該低カット歯よりも歯先をさらに低い位置に有する小カット歯とを有することにより、チェーンがスプロケットと噛み合い始める際にチェーンのローラあるいはプレート歯が最初に接触する歯の側面の位置を標準歯、低カット歯、小カット歯でさらに多様に異ならせることができるため、一定周期の衝突音の発生をさらに抑制し、騒音を減少させることができるとともに、カット歯の歯先が低くスプロケットをより軽量化することができる。
また、チェーンのローラあるいはプレート歯が最初にカット歯の側面に接触した後、歯底に向かうまでの距離が短くなることにより、摩擦抵抗や摩擦に伴う騒音を軽減することができる。
【００２８】
本請求項３に係る発明のスプロケットは、請求項１または請求項２に係る発明のスプロケットが奏する効果に加えて、高さの異なる歯が、不規則に配置されていることにより、チェーンがスプロケットと噛み合い始める際にチェーンのローラあるいはプレート歯が最初に接触するタイミングをランダムに分散させることができるため、一定周期の衝突音の発生をさらに抑制し、騒音を減少させることができる。
【００２９】
本請求項４に係る発明は、チェーンと該チェーンが掛架されて噛み合う複数の歯を備えた複数のスプロケットとからなる伝動装置において、複数のスプロケットの少なくとも１つが請求項１乃至請求項３のいずれかに記載のスプロケットからなることにより、伝動装置の構造や回転数等の諸元に応じたスプロケットを採用して一定周期の衝突音の発生を抑制し、騒音を減少させることにより、伝動装置全体の騒音を軽減することができる。
【００３０】
本請求項５に係る発明の伝動装置は、請求項４に係る発明の伝動装置が奏する効果に加えて、スプロケットの標準歯あるいは高カット歯が、チェーンが掛架される範囲に少なくとも１つ存在するように配置されていることにより、チェーンが掛架される範囲で歯飛びを起こすことがなく安定して回転を伝達することができる。
【図面の簡単な説明】
【００３１】
【図１】本発明の一実施例である伝動装置の概略図。
【図２】本発明の第１実施例であるスプロケットの側面図。
【図３】図１の一部拡大図。
【図４】図１の動作説明図。
【図５】本発明の第２実施例であるスプロケットの側面図。
【図６】図５の一部拡大図。
【図７】本発明の第３実施例であるスプロケットの一部拡大図。
【図８】従来のスプロケットの側面図。
【発明を実施するための形態】
【００３２】
本発明は、チェーンが掛架されて噛み合う複数の歯を備えたスプロケットにおいて、歯のピッチ円上の基準ピッチがチェーンの基準ピッチより小さく設定され、複数の歯が、歯先の高さの異なる歯を含むとともに標準高さの標準歯あるいは標準歯より歯先の低いカット歯で構成され、カット歯が、歯先をピッチ円より低い位置に有する低カット歯と、該低カット歯よりも歯先をさらに低い位置に有する小カット歯とを有しているか、あるいは、チェーンが掛架されて噛み合う複数の歯を備えたスプロケットにおいて、歯のピッチ円上の基準ピッチが、チェーンの基準ピッチより小さく設定され、複数の歯が、歯先の高さの異なる歯を含むとともに標準高さの標準歯あるいは標準歯より歯先の低いカット歯で構成され、カット歯が、歯先をピッチ円より高い位置に有する高カット歯と、歯先をピッチ円より低い位置に有する低カット歯とを有し、カット歯が、歯先をピッチ円より低い位置に有する低カット歯と、低カット歯よりも歯先をさらに低い位置に有する小カット歯とを有し、一定周期の衝突音の発生を抑制し、騒音を減少させるとともに、製造が容易で安定してチェーンが掛架されるという効果を発揮するものであれば、その具体的な実施態様は如何なるものであっても何ら構わない。
【００３３】
また、本発明の伝動装置は、チェーンと該チェーンが掛架されて噛み合う複数の歯を備えた複数のスプロケットとからなる伝動装置において、前記複数のスプロケットの少なくとも１つが、請求項１乃至請求項５のいずれかに記載のスプロケットからなり、一定周期の衝突音の発生を抑制し、騒音を減少させるとともに、製造が容易で安定してチェーンが掛架されるという効果を発揮するものであれば、その具体的な実施態様は如何なるものであっても何ら構わない。
【００３４】
以下に、本発明のスプロケットおよび伝動装置について図面を基づいて説明する。
本発明の一実施例である伝動装置１００は、シリンダーヘッドに吸排気弁を駆動する二本のカムシャフトを備えたエンジンにおける夕イミングシステムとして用いられ、駆動スプロケット１１０、従動スプロケット１２０、従動スプロケット１３０に掛架されたチェーンＣＨにより動力を伝達するように構成されており、駆動スプロケット１１０、従動スプロケット１２０あるいは従動スプロケット１３０の歯の形状以外の構成は、図１を基に先に説明した従来例と同様である。
また、チェーンＣＨはローラチェーンである。
【実施例１】
【００３５】
本発明の第１実施例である駆動スプロケット１１０（あるいは従動スプロケット１２０、従動スプロケット１３０）は、図２、図３に示すように、チェーンＣＨが掛架されて噛み合う歯先の高さの異なる複数の歯を全周に等ピッチで備えている（スプロケットの径、歯数は従動スプロケットが駆動スプロケットの倍となるが、説明のため同じ図で代用する。）。
【００３６】
歯先の高さの異なる歯は、一般的に用いられるＪＩＳ標準の歯型を有する標準歯１１１、標準の歯型を歯先がピッチ円Ｐより高い位置となるようにカットした高カット歯１１２、および、標準の歯型を歯先がピッチ円Ｐより低い位置となるようにカットした低カット歯１１３からなり、それぞれの歯の歯先の歯側面とつながるコーナーは曲面状に面取されている。
【００３７】
標準歯１１１、高カット歯１１２および低カット歯１１３は、駆動スプロケット１１０（あるいは従動スプロケット１２０、従動スプロケット１３０）の周方向にランダムに配置されるとともに、伝動装置１００に使用する際に、標準歯１１１あるいは高カット歯１１２が、チェーンが掛架される範囲（図１に示すθ１、θ２、θ３）に少なくとも１つ存在するように配置されている。
【００３８】
以上のように構成された駆動スプロケット１１０（あるいは従動スプロケット１２０、従動スプロケット１３０）にチェーンＣＨのローラＲが噛み合う際の動作について説明する。
一般的にチェーン伝動装置は、スプロケットのピッチ円が基準ピッチよりマイナス方向の公差、チェーンが基準ピッチよりプラス方向の公差を持つように製造されるため、本実施例においても、図４に示すように、駆動スプロケット１１０（あるいは従動スプロケット１２０、従動スプロケット１３０）の歯のピッチ円上の基準ピッチＳＰはチェーンＣＨのローラＲの基準ピッチＣＰより小さい（図面では誇張しているが、実際は僅かである。）。
【００３９】
したがって、駆動スプロケット１１０（あるいは従動スプロケット１２０、従動スプロケット１３０）にチェーンＣＨの先行するローラＲが歯底に着座した状態で、それに続くローラが最初に次の駆動スプロケット１１０（あるいは従動スプロケット１２０、従動スプロケット１３０）の歯に接触する時、歯の側面に接触することとなる。
【００４０】
このとき、図４に示すように、接触する歯が標準歯１１１の場合はＲ１の位置（荒点線で示す）、接触する歯が高カット歯１１２の場合はＲ２の位置（実線で示す）、接触する歯が低カット歯１１３の場合はＲ３の位置（細点線で示す）、でそれぞれ最初に接触するため、チェーンＣＨのローラＲが接触するタイミングが３通りに分散されることとなる。
【００４１】
そして、図２に示すように、駆動スプロケット１１０（あるいは従動スプロケット１２０、従動スプロケット１３０）の全周にわたり標準歯１１１、高カット歯１１２、低カット歯１１３がランダムに配置されることにより、接触するタイミングが分散され一定周期の衝突音の発生を抑制し、騒音を減少させることができる。
【００４２】
標準歯１１１、高カット歯１１２、低カット歯１１３のそれぞれの個数や配置は、伝動装置の伝動装置の構造や回転数等の諸元に応じて適宜選択すれば良く、その際、歯先がピッチ円Ｐより低い位置となる低カット歯１１３はチェーンＣＨに過大な負荷がかかった場合、歯飛びを起こす危険性が高いため、歯先がピッチ円Ｐより高い位置となる標準歯１１１あるいは高カット歯１１２が、必ずチェーンＣＨが掛架される範囲（図１に示すθ１、θ２、θ３）に少なくとも１つ存在するように個数や配置を選択することで、歯飛びを防止することができる。
【実施例２】
【００４３】
本発明の第２実施例である駆動スプロケット２１０（あるいは従動スプロケット２２０、従動スプロケット２３０）は、図５、図６に示すように、チェーンＣＨが掛架されて噛み合う歯先の高さの異なる複数の歯を全周に等ピッチで備えている（スプロケットの径、歯数は従動スプロケットが駆動スプロケットの倍となるが、説明のため同じ図で代用する。）。
【００４４】
歯先の高さの異なる歯は、一般的に用いられるＪＩＳ標準の歯型を有する標準歯２１１、および、標準の歯型を歯先がピッチ円Ｐより低い位置となるようにカットした低カット歯２１３からなり、それぞれの歯の歯先の歯側面とつながるコーナーは曲面状に面取されている。
【００４５】
標準歯２１１および低カット歯２１３は、駆動スプロケット２１０（あるいは従動スプロケット２２０、従動スプロケット２３０）の周方向にランダムに配置されるとともに、伝動装置１００に使用する際に、標準歯２１１が、チェーンが掛架される範囲（図１に示すθ１、θ２、θ３）に少なくとも１つ存在するように配置されている。
【００４６】
以上のように構成された駆動スプロケット２１０（あるいは従動スプロケット２２０、従動スプロケット２３０）にチェーンＣＨのローラＲが噛み合う際は、前述した実施例１と同様の作用によって、チェーンＣＨのローラＲが接触するタイミングが２通りに分散され、全周にわたり標準歯２１１、低カット歯２１３がランダムに配置されることにより、接触するタイミングが分散され一定周期の衝突音の発生を抑制し、騒音を減少させることができるとともに、カットする歯が低カット歯２１３の１種類のみとなるため、製造が容易となる。
【００４７】
また、実施例１と同様に歯先がピッチ円Ｐより高い位置となる標準歯２１１が、必ずチェーンＣＨが掛架される範囲（図１に示すθ１、θ２、θ３）に少なくとも１つ存在するように個数や配置を選択することで、歯飛びを防止することができる。
【実施例３】
【００４８】
本発明の第３実施例である駆動スプロケット３１０（あるいは従動スプロケット３２０、従動スプロケット３３０）は、図７に示すように、チェーンＣＨが掛架されて噛み合う歯先の高さの異なる複数の歯を全周に等ピッチで備えている（スプロケットの径、歯数は従動スプロケットが駆動スプロケットの倍となるが、説明のため同じ図で代用する。）。
【００４９】
歯先の高さの異なる歯は、一般的に用いられるＪＩＳ標準の歯型を有する標準歯３１１、標準の歯型を歯先がピッチ円Ｐより高い位置となるようにカットした高カット歯３１２、標準の歯型を歯先がピッチ円Ｐより低い位置となるようにカットした低カット歯３１３、および、標準の歯型を歯先が低カット歯３１３よりも歯先をさらに低い位置となるようにカットした小カット歯３１４からなり、それぞれの歯の歯先の歯側面とつながるコーナーは曲面状に面取されている。
【００５０】
標準歯３１１、高カット歯３１２、低カット歯３１３および小カット歯３１４は、駆動スプロケット３１０（あるいは従動スプロケット３２０、従動スプロケット３３０）の周方向にランダムに配置されるとともに、伝動装置１００に使用する際に、標準歯３１１あるいは高カット歯３１２が、チェーンが掛架される範囲（図１に示すθ１、θ２、θ３）に少なくとも１つ存在するように配置されている。
【００５１】
以上のように構成された駆動スプロケット３１０（あるいは従動スプロケット３２０、従動スプロケット３３０）にチェーンＣＨのローラＲが噛み合う際は、前述した実施例１と同様の作用によってに、チェーンＣＨのローラＲが接触するタイミングが４通りに分散され、全周にわたり標準歯３１１、高カット歯３１２、低カット歯３１３および小カット歯３１４がランダムに配置されることにより、接触するタイミングがさらに多様に分散され一定周期の衝突音の発生を抑制し、騒音を減少させることができる。
【００５２】
また、実施例１と同様に歯先がピッチ円Ｐより高い位置となる標準歯２１１あるいは高カット歯２１２が、必ずチェーンＣＨが掛架される範囲（図１に示すθ１、θ２、θ３）に少なくとも１つ存在するように個数や配置を選択することで、歯飛びを防止することができる。
【００５３】
以上説明したように、本発明は歯のピッチに影響を与えることなく一定周期の衝突音の発生を抑制し、騒音を減少させるとともに、製造が容易で安定してチェーンが掛架されるという顕著な効果を発揮するものであり、その効果は甚大である。
【００５４】
なお、上記実施例のスプロケットは、歯先をカットしない標準歯１１１、２１１、３１１を有しているが、全ての歯が歯先をカットしたカット歯で構成されても良く、その場合、さらにスプロケット全体を軽量化することができる。
【００５５】
また、上記実施例では、シリンダーヘッドに吸排気弁を駆動する二本のカムシャフトを備えたエンジンにおける夕イミングシステムとして用いられる伝動装置を示したが、いかなる用途に用いられる伝動装置であっても良い。
また、伝動装置の有するスプロケットの数はいかなる数であっても良く、本発明のスプロケットが、その一部に用いられても全部に用いられても良い。
伝動装置の複数の本発明のスプロケットを用いた場合、その歯の種類や配置は同じものを使用しても良く、異なる歯の種類や配置を持つものを使用したも良い。
【００５６】
また、本発明のスプロケットは、チェーンの振動や張力負荷の影響を排除するために歯のピッチや歯底位置等を変更したスプロケットであっても良い。
さらに、本発明のスプロケットは、サイレントチェーンのプレート歯と噛み合うスプロケットであっても良く、その場合、標準歯、カット歯の全てがピッチ円より歯先の位置が低くても良い。
【符号の説明】
【００５７】
１００                          ・・・伝動装置
１０１                          ・・・チェーンガイド
１０２                          ・・・チェーンガイド
１１０、２１０、３１０、５１０  ・・・駆動スプロケット
１１１、２１１、３１１、５１１  ・・・標準歯
１１２、        ３１２          ・・・高カット歯
１１３、２１３、３１３          ・・・低カット歯
３１４          ・・・小カット歯
１２０、２２０、３２０、５２０  ・・・従動スプロケット（緩み側）
１３０、２３０、３３０、５３０  ・・・従動スプロケット（張り側）
ＣＨ                          ・・・チェーン
Ｔ                            ・・・テンショナ
Ｂ                            ・・・固定手段
Ｒ                            ・・・ローラ
Ｐ                            ・・・ピッチ円
【図１】
0005473662.tif 000002
【図２】
0005473662.tif 000003
【図３】
0005473662.tif 000004
【図４】
0005473662.tif 000005
【図５】
0005473662.tif 000006
【図６】
0005473662.tif 000007
【図７】
0005473662.tif 000008
【図８】
0005473662.tif 000009